(57)【要約】【課題】例えば結像光学系に設計誤差が生じたり、結像光学系と発光素子とがずれて配設されたとしても、露光ムラを抑制して良好な露光を実現可能とする技術を提供する。【解決手段】第１、第２の発光素子からの光が第１の結像光学系により結像されて被露光面に形成される第１、第２のスポットと、第３、第４の発光素子からの光が第２の結像光学系により結像されて被露光面に形成される第３、第４のスポットとの４個のスポットが、第１の方向に配設されている。そして、ヘッドコントローラーＨＣは、メモリＨＣＭの情報に基づき、第１、第２、第３および第４の発光素子のうち、発光させる発光素子を選択する。【選択図】図２
2011037147.tif 000002
【特許請求の範囲】
【請求項１】
被露光面に光を結像する第１の結像光学系と、
前記第１の結像光学系により結像されて第１のスポットを前記被露光面に形成する光を発光する第１の発光素子と、
前記第１の結像光学系により結像されて前記第１のスポットの第１の方向に第２のスポットを前記被露光面に形成する光を発光する第２の発光素子と、
前記被露光面に光を結像する第２の結像光学系と、
前記第２の結像光学系により結像されて前記第１のスポットの前記第１の方向に第３のスポットを前記被露光面に形成する光を発光する第３の発光素子と、
前記第２の結像光学系により結像されて前記第３のスポットの前記第１の方向に第４のスポットを前記被露光面に形成する光を発光する第４の発光素子と、
前記第１の発光素子、前記第２の発光素子、前記第３の発光素子および前記第４の発光素子のうち、発光させる発光素子を選択する選択部と、
を備えたことを特徴とする露光ヘッド。
【請求項２】
前記選択部は、前記第１の発光素子及び前記第２の発光素子を選択する第１のモードと、
前記第１の発光素子もしくは前記第２の発光素子のいずれかと、前記第３の発光素子もしくは前記第４の発光素子のいずれかとを選択する第２のモードと、
を有する請求項１記載の露光ヘッド。
【請求項３】
前記第１の発光素子及び前記第２の発光素子と異なる前記第１の結像光学系で結像される光を発光する発光素子が複数配設されるとともに、
前記第３の発光素子及び前記第４の発光素子と異なる前記第２の結像光学系で結像される光を発光する発光素子が複数配設され、
前記第１の発光素子及び前記第２の発光素子を含む前記第１の結像光学系で結像される複数の発光素子の幾何重心と前記第１の結像光学系の光軸とのずれ量を記憶する記憶部を有し、
前記選択部は、前記記憶部に記憶されたずれ量に基づいて、発光させる発光素子を選択する請求項１に記載の露光ヘッド。
【請求項４】
前記記憶部は、前記第３の発光素子及び前記第４の発光素子を含む前記第２の結像光学系で結像される複数の発光素子の幾何重心と前記第２の結像光学系の光軸との第２のずれ量を記憶し、
前記ずれ量及び前記第２のずれ量に基づいて、前記選択部は、発光させる発光素子を選択する請求項３に記載の露光ヘッド。
【請求項５】
第１の方向に移動する潜像担持体と、
前記潜像担持体に光を結像する第１の結像光学系、前記第１の結像光学系により結像されて第１の潜像を前記潜像担持体に形成する光を発光する第１の発光素子、前記第１の結像光学系により結像されて前記第１の潜像の前記第１の方向に第２の潜像を前記潜像担持体に形成する光を発光する第２の発光素子、前記潜像担持体に光を結像する第２の結像光学系、前記第２の結像光学系により結像されて前記第１の潜像の前記第１の方向に第３の潜像を前記潜像担持体に形成する光を発光する第３の発光素子、及び前記第２の結像光学系により結像されて前記第３の潜像の前記第１の方向に第４の潜像を前記潜像担持体に形成する光を発光する第４の発光素子を有する露光ヘッドと、
前記第１の発光素子、前記第２の発光素子、前記第３の発光素子および前記第４の発光素子のうち、発光させる発光素子を選択する選択部と、
を有することを特徴とする画像形成装置。
【請求項６】
前記選択部が、前記第１の発光素子及び前記第２の発光素子の発光を選択した時に、
前記潜像担持体の前記第１の方向の移動により、前記第１の潜像と前記第２の潜像が重なる請求項５に記載の画像形成装置。
【請求項７】
前記選択部が、前記第１の発光素子及び前記第３の発光素子の発光を選択した時に、
前記潜像担持体の前記第１の方向の移動により、前記第１の潜像と前記第３の潜像が重なる請求項５に記載の画像形成装置。
【発明の詳細な説明】
【技術分野】
【０００１】
この発明は、発光素子からの光を結像光学系により被露光面に結像する露光ヘッドおよび該露光ヘッドを備えた画像形成装置に関する。
【背景技術】
【０００２】
従来から、特許文献１に記載のように、レンズアレイの複数の結像レンズに対して１対１の対応関係で設けられた複数の発光素子群（同文献の発光素子グループ）を備えた露光ヘッド（同文献のラインヘッド）が提案されている。つまり、この露光ヘッドの発光素子群では、複数の発光素子が主走査方向（同文献の長手方向）に配設されている。そして、各発光素子は、それぞれ被露光面（同文献の被走査面）の副走査方向に対応する第１の方向の移動に応じたタイミングで発光し、その光が結像レンズにより被露光面の主走査方向に互いに異なる位置に導かれ、その光により被露光面にスポットが形成されて被露光面が露光される。このような露光が発光素子群ごとに行われ、その結果、発光素子群ごとにスポットが被露光面の主走査方向に複数並んで形成されることとなる。特許文献１では、このような発光素子群ごとに形成される複数のスポットをスポットグループと称しており、複数の発光素子群に対応して、複数のスポットグループが形成されることとなる。そして、特許文献１では、主走査方向に互いに隣り合って形成されるスポットグループにおいて、部分的に多重露光させている。つまり、主走査方向に隣り合う一方の発光素子群の端部の発光素子からの光によるスポットと、他方の発光素子群の端部の発光素子からの光によるスポットとを、被露光面の主走査方向に重なるようにする。こうして、異なる結像光学系で形成される２つのスポットグループを部分的に重複させている。
【先行技術文献】
【特許文献】
【０００３】
【特許文献１】特開２００８−１７３８８９号公報
【発明の概要】
【発明が解決しようとする課題】
【０００４】
ところが、発光素子と結像光学系とを配設して露光ヘッドを組み立てる際には、組立上の誤差などに起因して、結像光学系と発光素子とがずれて配設されることがある。また、結像光学系に設計誤差が生じることもある。これらの場合、以下のような問題が生じる。すなわち、例えば結像光学系と発光素子とがずれて配設されると、図６〜図８を用いて後述するように、発光素子からの光によるスポットが主走査方向にずれてしまう。したがって、特許文献１に記載の露光ヘッドにおいて、結像光学系と発光素子とがずれて配設されると、多重露光している領域、つまり２個の発光素子からの光によるスポットを主走査方向に重なるようにしている領域では、各スポットが主走査方向に互いにずれるため、露光が多少ぼやけてしまうというずれによる影響が現われる。一方、多重露光していない領域、つまりスポットが重ならない領域では、スポットの重なりがないため、上記のようなずれによる影響が現われない。よって、これらの領域間で、ずれによる影響の有無による差が生じるため、この差が露光ムラとなってしまう。そして、このような露光ヘッドを用いた画像形成装置では、露光ムラに起因するトナー像の濃度ムラが発生することとなる。
【０００５】
この発明は上記課題に鑑みてなされたものであり、発光素子からの光を結像光学系により被露光面に結像する露光ヘッドおよび該露光ヘッドを備えた画像形成装置において、例えば結像光学系に設計誤差が生じたり、結像光学系と発光素子とがずれて配設されたとしても、露光ムラを抑制して良好な露光を実現可能とする技術の提供を目的とする。
【課題を解決するための手段】
【０００６】
この発明にかかる露光ヘッドは、上記目的を達成するために、被露光面に光を結像する第１の結像光学系と、第１の結像光学系により結像されて第１のスポットを被露光面に形成する光を発光する第１の発光素子と、第１の結像光学系により結像されて第１のスポットの第１の方向に第２のスポットを被露光面に形成する光を発光する第２の発光素子と、被露光面に光を結像する第２の結像光学系と、第２の結像光学系により結像されて第１のスポットの第１の方向に第３のスポットを被露光面に形成する光を発光する第３の発光素子と、第２の結像光学系により結像されて第３のスポットの第１の方向に第４のスポットを被露光面に形成する光を発光する第４の発光素子と、第１の発光素子、第２の発光素子、第３の発光素子および第４の発光素子のうち、発光させる発光素子を選択する選択部と、を備えたことを特徴としている。
【０００７】
この発明にかかる画像形成装置は、上記目的を達成するために、第１の方向に移動する潜像担持体と、潜像担持体に光を結像する第１の結像光学系、第１の結像光学系により結像されて第１の潜像を潜像担持体に形成する光を発光する第１の発光素子、第１の結像光学系により結像されて第１の潜像の第１の方向に第２の潜像を潜像担持体に形成する光を発光する第２の発光素子、潜像担持体に光を結像する第２の結像光学系、第２の結像光学系により結像されて第１の潜像の第１の方向に第３の潜像を潜像担持体に形成する光を発光する第３の発光素子、及び第２の結像光学系により結像されて第３の潜像の第１の方向に第４の潜像を潜像担持体に形成する光を発光する第４の発光素子を有する露光ヘッドと、第１の発光素子、第２の発光素子、第３の発光素子および第４の発光素子のうち、発光させる発光素子を選択する選択部と、を有することを特徴としている。
【０００８】
このように構成された発明（露光ヘッド、画像形成装置）では、第１の結像光学系により結像されて第１のスポットを被露光面に形成する光を発光する第１の発光素子と、第１の結像光学系により結像されて第１のスポットの第１の方向に第２のスポットを被露光面に形成する光を発光する第２の発光素子と、被露光面に光を結像する第２の結像光学系と、第２の結像光学系により結像されて第１のスポットの第１の方向に第３のスポットを被露光面に形成する光を発光する第３の発光素子と、第２の結像光学系により結像されて第３のスポットの第１の方向に第４のスポットを被露光面に形成する光を発光する第４の発光素子と、を備えている。すなわち、第１、第２の発光素子からの光が第１の結像光学系により結像されて被露光面に形成される第１、第２のスポットと、第３、第４の発光素子からの光が第２の結像光学系により結像されて被露光面に形成される第３、第４のスポットとにおいて、第２、第３のスポットが第１のスポットの第１の方向に形成され、第４のスポットが第３のスポットの第１の方向に形成されている。そして、第１の発光素子、第２の発光素子、第３の発光素子および第４の発光素子のうち、発光させる発光素子が選択される。つまり、いずれも第１の結像光学系により結像される光を発光する発光素子（第１、第２の発光素子）が選択されたり、いずれも第２の結像光学系により結像される光を発光する発光素子（第３、第４の発光素子）が選択されたり、第１の結像光学系により結像される光を発光する発光素子（例えば第１の発光素子）と第２の結像光学系により結像される光を発光する発光素子（例えば第３の発光素子）とが選択されたり、種々の態様を選択することが可能になっている。したがって、例えば結像光学系に設計誤差が生じたり、結像光学系と発光素子とがずれて配設された場合には、その状態や大小などに応じて適切な態様を選択することによって、スポットのずれによる影響、つまり露光が多少ぼやけるというずれによる影響が低減され、その結果、露光ムラが抑制されることとなる。こうして、本発明では、例えば結像光学系に設計誤差が生じたり、結像光学系と発光素子とがずれて配設されたとしても、露光ムラを抑制して良好な露光を実現することが可能となっている。
【０００９】
また、選択部は、第１の発光素子及び第２の発光素子を選択する第１のモードと、第１の発光素子もしくは第２の発光素子のいずれかと、第３の発光素子もしくは第４の発光素子のいずれかとを選択する第２のモードと、を有するとしてもよい。この構成によれば、第１のモードでは、第１および第２の発光素子が選択され、第２のモードでは、第１の発光素子もしくは第２の発光素子のいずれかと、第３の発光素子もしくは第４の発光素子のいずれかとが選択される。すなわち、第１のモードでは、同一の結像光学系により結像される光を発光する発光素子が選択され、第２のモードでは、異なる結像光学系により結像される光を発光する発光素子が選択される。したがって、例えば結像光学系の設計誤差の大小や、結像光学系と発光素子とのずれの大小に応じて、第１のモードまたは第２のモードを採用することにより、好適な露光が可能になっている。すなわち、例えば、後に詳述するように、結像光学系と発光素子とのずれが小さくて同じ結像光学系により結像されて形成されるスポットが第１の方向に形成されている方が好適な露光を行える場合には、第１のモードを採用し、ずれが大きくて異なる結像光学系により結像されて形成されるスポットが第１の方向に形成されている方が好適な露光を行える場合には、第２のモードを採用することにより、結像光学系と発光素子とのずれの大小に応じて、好適な露光を実現することができる。
【００１０】
また、第１の発光素子及び第２の発光素子と異なる第１の結像光学系で結像される光を発光する発光素子が複数配設されるとともに、第３の発光素子及び第４の発光素子と異なる第２の結像光学系で結像される光を発光する発光素子が複数配設され、第１の発光素子及び第２の発光素子を含む第１の結像光学系で結像される複数の発光素子の幾何重心と第１の結像光学系の光軸とのずれ量を記憶する記憶部を有し、選択部は、記憶部に記憶されたずれ量に基づいて、発光させる発光素子を選択するとしてもよい。この構成によれば、第１の結像光学系で結像される複数の発光素子の幾何重心と第１の結像光学系の光軸とのずれ量に基づいて、発光させる発光素子が選択されることから、第１の結像光学系で結像される複数の発光素子の幾何重心と第１の結像光学系の光軸とのずれ量の大小に応じて、好適な発光素子を発光させることが可能になる。
【００１１】
また、記憶部は、第３の発光素子及び第４の発光素子を含む第２の結像光学系で結像される複数の発光素子の幾何重心と第２の結像光学系の光軸との第２のずれ量を記憶し、ずれ量及び第２のずれ量に基づいて、選択部は、発光させる発光素子を選択するとしてもよい。この構成によれば、第１の結像光学系で結像される複数の発光素子の幾何重心と第１の結像光学系の光軸とのずれ量、および第２の結像光学系で結像される複数の発光素子の幾何重心と第２の結像光学系の光軸との第２のずれ量に基づいて、発光させる発光素子が選択されることから、ずれ量および第２のずれ量の大小に応じて、好適な発光素子を発光させることが可能になる。
【００１２】
また、この発明にかかる画像形成装置において、選択部が、第１の発光素子及び第２の発光素子の発光を選択した時に、潜像担持体の第１の方向の移動により、第１の潜像と第２の潜像が重なるとしてもよい。この構成によれば、選択部により第１の発光素子及び第２の発光素子の発光が選択された時に、潜像担持体の第１の方向の移動により、第１の潜像と第２の潜像が重なるため、潜像担持体に好適に潜像を形成することが可能になる。
【００１３】
また、この発明にかかる画像形成装置において、選択部が、第１の発光素子及び第３の発光素子の発光を選択した時に、潜像担持体の第１の方向の移動により、第１の潜像と第３の潜像が重なるとしてもよい。この構成によれば、選択部により、第１の発光素子及び第３の発光素子の発光が選択された時に、潜像担持体の第１の方向の移動により第１の潜像と第３の潜像が重なるため、潜像担持体に好適に潜像を形成することが可能になる。
【００１４】
また、第１の発光素子および第２の発光素子を含み、第１の結像光学系により結像される複数の発光素子と、第３の発光素子および第４の発光素子を含み、第２の結像光学系により結像される複数の発光素子と、を備え、選択部は、第１の結像光学系により結像される第１の発光素子および第２の発光素子を含む複数の発光素子の幾何重心と第１の結像光学系の光軸とのずれ量である第１のずれ量、および第２の結像光学系により結像される第３の発光素子および第４の発光素子を含む複数の発光素子の幾何重心と第２の結像光学系の光軸とのずれ量である第２のずれ量に応じて発光させる発光素子を選択するとしてもよい。この構成において、例えば、第１の結像光学系により結像される複数の発光素子の幾何重心と第１の結像光学系の光軸との第１のずれ量、および第２の結像光学系により結像される複数の発光素子の幾何重心と第２の結像光学系の光軸との第２のずれ量のいずれかが第１の値をとる場合には、第１のモードとしてもよい。すなわち、第１および第２の発光素子が選択され、同じ結像光学系により結像されるスポットが第１の方向から見て重なって形成されて、好適な露光が行われる。一方、例えば、いずれかのずれ量が第１の値より大きい第２の値をとる場合には、第２のモードとしてもよい。すなわち、例えば第１および第３の発光素子が選択され、異なる結像光学系により結像されるスポットが第１の方向から見て重なって形成されて、好適な露光が行われる。これによって、結像光学系の光軸と複数の発光素子の幾何重心とのずれの大小に応じて、好適な露光を実現することができる。
【図面の簡単な説明】
【００１５】
【図１】本発明を適用可能な画像形成装置の一例を示す図。
【図２】図１の画像形成装置が備える電気的構成を示すブロック図。
【図３】ラインヘッドの一実施形態の概略を示す斜視図。
【図４】厚さ方向からヘッド基板を平面視した部分平面図。
【図５】図４のＡ−Ａ線におけるラインヘッドの部分断面図。
【図６】結像光学系による発光素子の結像位置を示す図。
【図７】発光素子グループとレンズが長手方向に対して斜めにずれた状態を示す図。
【図８】発光素子グループとレンズとがずれたときのスポット形成位置を示す図。
【図９】発光素子グループとレンズとがずれることなく配設された状態を示す図。
【図１０】図９のように配設されたときのラインヘッドによる露光動作を示す図。
【図１１】発光素子グループとレンズが長手方向にずれて配設された状態を示す図。
【図１２】図１１のように配設されたときのラインヘッドによる露光動作を示す図。
【発明を実施するための形態】
【００１６】
Ａ．実施形態
図１は本発明を適用可能な画像形成装置の一例を示す図である。また、図２は図１の画像形成装置が備える電気的構成を示すブロック図である。この装置は、ブラック（Ｋ）、シアン（Ｃ）、マゼンダ（Ｍ）、イエロー（Ｙ）の４色のトナーを重ね合わせてカラー画像を形成するカラーモードと、ブラック（Ｋ）のトナーのみを用いてモノクロ画像を形成するモノクロモードとを選択的に実行可能な画像形成装置である。なお図１は、カラーモード実行時に対応する図である。この画像形成装置では、ホストコンピューターなどの外部装置から画像形成指令がＣＰＵやメモリなどを有するメインコントローラーＭＣに与えられると、このメインコントローラーＭＣはエンジンコントローラーＥＣに制御信号などを与えるとともに画像形成指令に対応するビデオデータＶＤをヘッドコントローラーＨＣに与える。このとき、メインコントローラーＭＣは、ヘッドコントローラーＨＣから水平リクエスト信号ＨＲＥＱを受け取る毎に、主走査方向ＭＤに１ライン分のビデオデータＶＤをヘッドコントローラーＨＣに与える。また、このヘッドコントローラーＨＣは、メインコントローラーＭＣからのビデオデータＶＤとエンジンコントローラーＥＣからの垂直同期信号Ｖsyncおよびパラメータ値とに基づき各色のラインヘッド２９を制御する。これによって、エンジン部ＥＮＧが所定の画像形成動作を実行し、複写紙、転写紙、用紙およびＯＨＰ用透明シートなどのシートに画像形成指令に対応する画像を形成する。
【００１７】
画像形成装置が有するハウジング本体３内には、電源回路基板、メインコントローラーＭＣ、エンジンコントローラーＥＣおよびヘッドコントローラーＨＣを内蔵する電装品ボックス５が設けられている。また、画像形成ユニット７、転写ベルトユニット８および給紙ユニット１１もハウジング本体３内に配設されている。また、図１においてハウジング本体３内右側には、２次転写ユニット１２、定着ユニット１３、シート案内部材１５が配設されている。なお、給紙ユニット１１は、装置本体１に対して着脱自在に構成されている。そして、該給紙ユニット１１および転写ベルトユニット８については、それぞれ取り外して修理または交換を行うことが可能な構成になっている。
【００１８】
画像形成ユニット７は、複数の異なる色の画像を形成する４個の画像形成ステーションＹ（イエロー用）、Ｍ（マゼンダ用）、Ｃ（シアン用）、Ｋ（ブラック用）を備えている。また、各画像形成ステーションＹ，Ｍ，Ｃ，Ｋは、主走査方向ＭＤに所定長さの表面を有する円筒形の感光体ドラム２１を設けている。そして、各画像形成ステーションＹ，Ｍ，Ｃ，Ｋそれぞれは、対応する色のトナー像を、感光体ドラム２１の表面に形成する。感光体ドラム２１は、軸方向が主走査方向ＭＤに平行もしくは略平行となるように配置されている。また、各感光体ドラム２１はそれぞれ専用の駆動モーターに接続され図中矢印Ｄ21の方向に所定速度で回転駆動される。これにより感光体ドラム２１の表面が、主走査方向ＭＤに直交もしくは略直交する副走査方向ＳＤに搬送されることとなる。また、感光体ドラム２１の周囲には、回転方向に沿って帯電部２３、ラインヘッド２９、現像部２５および感光体クリーナー２７が配設されている。そして、これらの機能部によって帯電動作、潜像形成動作及びトナー現像動作が実行される。したがって、カラーモード実行時は、全ての画像形成ステーションＹ，Ｍ，Ｃ，Ｋで形成されたトナー像を転写ベルトユニット８が有する転写ベルト８１に重ね合わせてカラー画像を形成するとともに、モノクロモード実行時は、画像形成ステーションＫで形成されたトナー像のみを用いてモノクロ画像を形成する。なお、図１において、画像形成ユニット７の各画像形成ステーションは構成が互いに同一のため、図示の便宜上一部の画像形成ステーションのみに符号をつけて、他の画像形成ステーションについては符号を省略する。
【００１９】
帯電部２３は、その表面が弾性ゴムで構成された帯電ローラーを備えている。この帯電ローラーは帯電位置で感光体ドラム２１の表面と当接して従動回転するように構成されており、感光体ドラム２１の回転動作に伴って感光体ドラム２１に対して従動方向に周速で従動回転する。また、この帯電ローラーは帯電バイアス発生部（図示省略）に接続されており、帯電バイアス発生部からの帯電バイアスの給電を受けて帯電部２３と感光体ドラム２１が当接する帯電位置で感光体ドラム２１の表面を帯電させる。
【００２０】
ラインヘッド２９は感光体ドラム２１に対して離間して配置されており、ラインヘッド２９の長手方向は主走査方向ＭＤに平行もしくは略平行であるとともに、ラインヘッド２９の幅方向は副走査方向ＳＤに平行もしくは略平行である。このラインヘッド２９は複数の発光素子を備えており、各発光素子はヘッドコントローラーＨＣからのビデオデータＶＤに応じて発光する。そして、帯電した感光体ドラム２１表面に発光素子からの光が照射されることで、感光体ドラム２１表面に静電潜像が形成される。
【００２１】
現像部２５は、その表面にトナーを担持する現像ローラー２５１を有する。そして、現像ローラー２５１と電気的に接続された現像バイアス発生部（図示省略）から現像ローラー２５１に印加される現像バイアスによって、現像ローラー２５１と感光体ドラム２１とが当接する現像位置において、帯電トナーが現像ローラー２５１から感光体ドラム２１に移動してラインヘッド２９により形成された静電潜像が顕在化される。
【００２２】
このように上記現像位置において顕在化されたトナー像は、感光体ドラム２１の回転方向Ｄ21に搬送された後、転写ベルト８１と各感光体ドラム２１が当接する１次転写位置ＴＲ1において転写ベルト８１に１次転写される。
【００２３】
また、この実施形態では、感光体ドラム２１の回転方向Ｄ21の１次転写位置ＴＲ1の下流側で且つ帯電部２３の上流側に、感光体ドラム２１の表面に当接して感光体クリーナー２７が設けられている。この感光体クリーナー２７は、感光体ドラムの表面に当接することで１次転写後に感光体ドラム２１の表面に残留するトナーをクリーニング除去する。
【００２４】
転写ベルトユニット８は、駆動ローラー８２と、図１において駆動ローラー８２の左側に配設される従動ローラー８３（ブレード対向ローラー）と、これらのローラーに張架され図示矢印Ｄ81の方向（搬送方向）へ循環駆動される転写ベルト８１とを備えている。また、転写ベルトユニット８は、転写ベルト８１の内側に、感光体カートリッジ装着時において各画像形成ステーションＹ，Ｍ，Ｃ，Ｋが有する感光体ドラム２１各々に対して一対一で対向配置される、４個の１次転写ローラー８５Ｙ，８５Ｍ，８５Ｃ，８５Ｋを備えている。これらの１次転写ローラー８５は、それぞれ１次転写バイアス発生部（図示省略）と電気的に接続される。そして、カラーモード実行時は、図１に示すように全ての１次転写ローラー８５Ｙ，８５Ｍ，８５Ｃ，８５Ｋを画像形成ステーションＹ，Ｍ，Ｃ，Ｋ側に位置決めすることで、転写ベルト８１を画像形成ステーションＹ，Ｍ，Ｃ，Ｋそれぞれが有する感光体ドラム２１に押し遣り当接させて、各感光体ドラム２１と転写ベルト８１との間に１次転写位置ＴＲ1を形成する。そして、適当なタイミングで上記１次転写バイアス発生部から１次転写ローラー８５に１次転写バイアスを印加することで、各感光体ドラム２１の表面上に形成されたトナー像を、それぞれに対応する１次転写位置ＴＲ1において転写ベルト８１表面に転写してカラー画像を形成する。
【００２５】
一方、モノクロモード実行時は、４個の１次転写ローラー８５のうち、カラー１次転写ローラー８５Ｙ，８５Ｍ，８５Ｃをそれぞれが対向する画像形成ステーションＹ，Ｍ，Ｃから離間させるとともにモノクロ１次転写ローラー８５Ｋのみを画像形成ステーションＫに当接させることで、モノクロ画像形成ステーションＫのみを転写ベルト８１に当接させる。その結果、モノクロ１次転写ローラー８５Ｋと画像形成ステーションＫとの間にのみ１次転写位置ＴＲ1が形成される。そして、適当なタイミングで前記１次転写バイアス発生部からモノクロ１次転写ローラー８５Ｋに１次転写バイアスを印加することで、各感光体ドラム２１の表面上に形成されたトナー像を、１次転写位置ＴＲ1において転写ベルト８１表面に転写してモノクロ画像を形成する。
【００２６】
さらに、転写ベルトユニット８は、モノクロ１次転写ローラー８５Ｋの下流側で且つ駆動ローラー８２の上流側に配設された下流ガイドローラー８６を備える。また、この下流ガイドローラー８６は、モノクロ１次転写ローラー８５Ｋが画像形成ステーションＫの感光体ドラム２１に当接して形成する１次転写位置ＴＲ1での１次転写ローラー８５Ｋと感光体ドラム２１との共通内接線上において、転写ベルト８１に当接するように構成されている。
【００２７】
駆動ローラー８２は、転写ベルト８１を図示矢印Ｄ81の方向に循環駆動するとともに、２次転写ローラー１２１のバックアップローラーを兼ねている。駆動ローラー８２の周面には、厚さ３mm程度、体積抵抗率が１０００ｋΩ・ｃｍ以下のゴム層が形成されており、金属製の軸を介して接地することにより、図示を省略する２次転写バイアス発生部から２次転写ローラー１２１を介して供給される２次転写バイアスの導電経路としている。このように駆動ローラー８２に高摩擦かつ衝撃吸収性を有するゴム層を設けることにより、駆動ローラー８２と２次転写ローラー１２１との当接部分（２次転写位置ＴＲ２）へのシートが進入する際の衝撃が転写ベルト８１に伝達しにくく、画質の劣化を防止することができる。
【００２８】
給紙ユニット１１は、シートを積層保持可能である給紙カセット７７と、給紙カセット７７からシートを一枚ずつ給紙するピックアップローラー７９とを有する給紙部を備えている。ピックアップローラー７９により給紙部から給紙されたシートは、レジストローラー対８０において給紙タイミングが調整された後、シート案内部材１５に沿って２次転写位置ＴＲ２に給紙される。
【００２９】
２次転写ローラー１２１は、転写ベルト８１に対して離当接自在に設けられ、２次転写ローラー駆動機構（図示省略）により離当接駆動される。定着ユニット１３は、ハロゲンヒータ等の発熱体を内蔵して回転自在な加熱ローラー１３１と、この加熱ローラー１３１を押圧付勢する加圧部１３２とを有している。そして、その表面に画像が２次転写されたシートは、シート案内部材１５により、加熱ローラー１３１と加圧部１３２の加圧ベルト１３２３とで形成するニップ部に案内され、該ニップ部において所定の温度で画像が熱定着される。加圧部１３２は、２つのローラー１３２１，１３２２と、これらに張架される加圧ベルト１３２３とで構成されている。そして、加圧ベルト１３２３の表面のうち、２つのローラー１３２１，１３２２により張られたベルト張面を加熱ローラー１３１の周面に押し付けることで、加熱ローラー１３１と加圧ベルト１３２３とで形成するニップ部が広くとれるように構成されている。また、こうして定着処理を受けたシートはハウジング本体３の上面部に設けられた排紙トレイ４に搬送される。
【００３０】
また、この装置では、ブレード対向ローラー８３に対向してクリーナー部７１が配設されている。クリーナー部７１は、クリーナーブレード７１１と廃トナーボックス７１３とを有する。クリーナーブレード７１１は、その先端部を転写ベルト８１を介してブレード対向ローラー８３に当接することで、２次転写後に転写ベルトに残留するトナーや紙粉等の異物を除去する。そして、このように除去された異物は、廃トナーボックス７１３に回収される。
【００３１】
図３は、ラインヘッドの一実施形態の概略を示す斜視図である。同図では、ラインヘッド２９の厚さ方向ＴＫＤの構成を理解しやすくするために、ラインヘッド２９の長手方向ＬＧＤの端部（図３の左下端部）が断面で示されている。ここで、厚さ方向ＴＫＤは、長手方向ＬＧＤおよび幅方向ＬＴＤに垂直もしくは略垂直な方向であり、後述する発光素子Ｅが光を射出する側（つまり、ラインヘッド２９から感光体ドラム２１に向う側）を向いた方向とする。ラインヘッド２９は、ヘッド基板２９３、遮光部材２９７、第１レンズアレイＬＡ1および第２レンズアレイＬＡ2をこの順番で厚さ方向ＴＫＤに配置するとともに、ヘッド基板２９３の裏面から（厳密には、ヘッド基板２９３に設けられた封止部材２９４の裏面から）剛性部材２９９で、これらの部材を支持した概略構成を備えている。そして、ヘッド基板２９３の発光素子Ｅからの光が、遮光部材２９７の導光孔２９７１を通過して、第１・第２レンズアレイＬＡ1、ＬＡ2のレンズＬＳ1、ＬＳ2により結像される。次に、各部材の詳細な構成について、図３、図４および図５を用いつつ説明する。なお、実施形態の説明において、厚さ方向ＴＫＤの下流側（図３の上側）を「（厚さ方向ＴＫＤの）一方側」と称し、厚さ方向ＴＫＤの上流側（図３の下側）を「（厚さ方向ＴＫＤの）他方側」と称する。また、基板あるいは平板の一方側の面を表面と称し、基板あるいは平板の他方側の面を裏面と称することとする。
【００３２】
図４は、厚さ方向ＴＫＤからヘッド基板２９３を平面視した部分平面図であり、厚さ方向ＴＫＤの一方側（図３の上側）からヘッド基板２９３の裏面２９３−tを透視した場合に相当する。図５は、この実施形態のラインヘッドの図４のＡ−Ａ線における部分断面図であり、該断面を長手方向ＬＧＤ（主走査方向ＭＤ）から見た場合に相当する。このＡ−Ａ線断面は、長手方向ＬＧＤに距離Ｄgを空けるとともに幅方向ＬＴＤに距離Ｄtを空けて、一列に並ぶ２個の発光素子グループＥＧの各重心（あるいは、２枚のレンズＬＳ1等の各レンズ中心）を通る。また、図４、図５に示す方向Ｄlscは、Ａ−Ａ線に平行な方向である。さらに、図４では、ヘッド基板２９３に形成された発光素子グループＥＧ、第１レンズアレイＬＡ1に形成された第１レンズＬＳ1および第２レンズアレイＬＡ2に形成された第２レンズＬＳ2の位置関係を示すために、第１レンズＬＳ1および第２レンズＬＳ2がそれぞれ一点鎖線で併記されている。ちなみに、第１レンズＬＳ1および第２レンズＬＳ2についての図中記載は、これらの位置関係を示すためのものであり、第１レンズＬＳ1および第２レンズＬＳ2がヘッド基板裏面２９３−t（図５）に形成されていることを示すものではない。また、図５において、光透過性（つまり透明）である部材には、点の集合からなるハッチングが施されている。
【００３３】
ヘッド基板２９３は光を透過するガラス基板（光透過性基板）で構成されており、ヘッド基板裏面２９３−tでは、ボトムエミッション型の有機ＥＬ（Electro-Luminescence）素子である発光素子Ｅが複数形成されるとともに、封止部材２９４により封止されている（図３、図５）。これら複数の発光素子Ｅは、互いに同一の発光スペクトルを有しており、光ビームを感光体ドラム２１表面へ向けて射出する。また、図４に示すように、ヘッド基板裏面２９３−tに形成された複数の発光素子Ｅの配置態様は、グループ構造を有している。つまり、３０個の発光素子Ｅが長手方向ＬＧＤに２行に配置されて１個の発光素子グループＥＧが構成されており、さらに複数の発光素子グループＥＧが長手方向ＬＧＤに２行千鳥で離散的に配置されている。
【００３４】
より詳しくは、この配置態様は次のように説明することができる。つまり、グループ間距離Ｐegを空けて複数の発光素子グループＥＧが長手方向ＬＧＤに沿って離散的に並んで、発光素子グループ行ＧＲa、ＧＲbが構成されている。さらに、２行の発光素子グループ行ＧＲa、ＧＲbが距離Ｄtだけ空けて幅方向ＬＴＤの異なる位置に離散的に配置されており、しかも、発光素子グループ行ＧＲa、ＧＲbは、長手方向ＬＧＤに距離Ｄgだけ相互にシフトされている。こうして、２個の発光素子グループＥＧが、長手方向ＬＧＤに距離Ｄgを空けるとともに幅方向ＬＴＤに距離Ｄtを空けて、方向Ｄlscに一列に並んでいる。
【００３５】
各発光素子グループＥＧ内では、発光素子Ｅが長手方向ＬＧＤに素子間距離Ｐelで一列に並んだ発光素子行が、幅方向ＬＴＤの異なる位置に２行設けられている。すなわち、発光素子グループ行ＧＲaの各発光素子グループＥＧは発光素子行ＧＲa1、ＧＲa2を有し、発光素子グループ行ＧＲbの各発光素子グループＥＧは発光素子行ＧＲb1、ＧＲb2を有している。そして、発光素子行ＧＲa1、ＧＲa2は１５個の発光素子Ｅを有し、発光素子行ＧＲa1の１５個の発光素子Ｅの長手方向ＬＧＤの位置は、発光素子行ＧＲa2の１５個の発光素子Ｅの長手方向ＬＧＤの位置と、それぞれ同一になっている。同様に、発光素子行ＧＲb1、ＧＲb2は１５個の発光素子Ｅを有し、発光素子行ＧＲb2の１５個の発光素子Ｅの長手方向ＬＧＤの位置は、発光素子行ＧＲb1の１５個の発光素子Ｅの長手方向ＬＧＤの位置と、それぞれ同一になっている。言い換えると、各発光素子グループＥＧでは、長手方向ＬＧＤの位置が互いに同一の２個の発光素子から１対の発光素子対ＥＰが構成されるとともに、この発光素子対ＥＰが長手方向ＬＧＤに１５対並んでいる。
【００３６】
さらに、発光素子行ＧＲa1、ＧＲa2の１５個の発光素子Ｅのうち、図４中、右端の各２個の発光素子Ｅの長手方向ＬＧＤの位置は、長手方向ＬＧＤに隣り合う右側の発光素子グループＥＧの発光素子行ＧＲb1、ＧＲb2の左端の各２個の発光素子Ｅの長手方向ＬＧＤの位置と、それぞれ同一になっている。例えば、発光素子グループＥＧa2の発光素子行ＧＲa1、ＧＲa2の右端の各２個の発光素子Ｅの長手方向ＬＧＤの位置は、発光素子グループＥＧb2の発光素子行ＧＲb1、ＧＲb2の左端の各２個の発光素子Ｅの長手方向ＬＧＤの位置と、それぞれ同一になっている。また、発光素子行ＧＲa1、ＧＲa2の１５個の発光素子Ｅのうち、図４中、左端の各２個の発光素子Ｅの長手方向ＬＧＤの位置は、長手方向ＬＧＤに隣り合う左側の発光素子グループＥＧの発光素子行ＧＲb1、ＧＲb2の右端の各２個の発光素子Ｅの長手方向ＬＧＤの位置と、それぞれ同一になっている。例えば、発光素子グループＥＧa2の発光素子行ＧＲa1、ＧＲa2の左端の各２個の発光素子Ｅの長手方向ＬＧＤの位置は、発光素子グループＥＧb1の発光素子行ＧＲb1、ＧＲb2の右端の各２個の発光素子Ｅの長手方向ＬＧＤの位置と、それぞれ同一になっている。言い換えると、各発光素子グループＥＧは、長手方向ＬＧＤに隣り合う発光素子グループＥＧの発光素子Ｅと長手方向ＬＧＤの位置が互いに同一の発光素子Ｅを、長手方向ＬＧＤの一方側および他方側に各２対有している。
【００３７】
また、各発光素子グループＥＧ内において、各発光素子行は、対応するレンズＬＳ1、ＬＳ2の光軸に対応する点を通る長手方向ＬＧＤに平行な線から、それぞれ幅方向ＬＴＤに同一距離Ｄrだけ離れた位置に設けられている。すなわち、発光素子行ＧＲa1の１５個の発光素子Ｅと、発光素子行ＧＲa2の１５個の発光素子Ｅとは、上記長手方向ＬＧＤに平行な線に関して線対称になっている。また、発光素子行ＧＲb1の１５個の発光素子Ｅと、発光素子行ＧＲb2の１５個の発光素子Ｅとは、上記長手方向ＬＧＤに平行な線に関して線対称になっている。さらに、各発光素子グループＥＧ内において、各発光素子行は、対応するレンズＬＳ1、ＬＳ2の光軸に対応する点を通る幅方向ＬＴＤに平行な線に関して、線対称になっている。すなわち、発光素子行ＧＲa1、ＧＲa2、ＧＲb1、ＧＲb2の１５個の発光素子Ｅの中央の発光素子Ｅが、上記幅方向ＬＴＤに平行な線上に位置している。
【００３８】
ここで、素子間距離Ｐelは、対象となる２個の発光素子Ｅの幾何重心間の長手方向ＬＧＤにおける距離として求めることができる。また、グループ間距離Ｐegは、対象となる２個の発光素子グループＥＧのうち、長手方向ＬＧＤの一方側の発光素子グループＥＧの他方側端部にある発光素子Ｅの幾何重心と、長手方向ＬＧＤの他方側の発光素子グループＥＧの一方側端部にある発光素子Ｅの幾何重心との長手方向ＬＧＤにおける距離として求めることができる。また、距離Ｄgは、長手方向ＬＧＤにおける位置が隣り合う２個の発光素子グループＥＧそれぞれの幾何重心間の長手方向ＬＧＤにおける距離として求めることができる。また、距離Ｄtは、幅方向ＬＴＤにおける位置が隣り合う２個の発光素子グループＥＧそれぞれの幾何重心間の幅方向ＬＴＤにおける距離として求めることができる。また、距離Ｄrは、対応するレンズＬＳ1、ＬＳ2の光軸に対応する点を通る長手方向ＬＧＤに平行な線と、対象となる発光素子行の各発光素子Ｅの幾何重心を通る線との、幅方向ＬＴＤにおける距離として求めることができる。
【００３９】
また、特開２００４−０８２３３０号公報等に記載の技術を応用して、この実施形態は、各発光素子Ｅの光量制御に役立てるために、予め各発光素子Ｅの光量を検出する構成を備えている。具体的には、ヘッド基板裏面２９３−tの幅方向ＬＴＤの両側のそれぞれにおいて、複数の光センサーＳＣが所定間隔で長手方向ＬＧＤに一列に並べられている。こうして、光センサーＳＣの列が、複数の発光素子グループＥＧを挟んで幅方向ＬＴＤの両側に配置される。そして、各光センサーＳＣは発光素子Ｅからの光量を検出した結果をヘッドコントローラーＨＣに出力し、ヘッドコントローラーＨＣは受信した光量信号に基づいて以後の発光素子Ｅの光量を制御する。
【００４０】
このようにヘッド基板２９３の裏面２９３−tには、発光素子グループＥＧおよび光センサーＳＣが配置されている。一方、ヘッド基板２９３の表面２９３−hには、遮光部材２９７が配置されている。遮光部材２９７には厚さ方向ＴＫＤに貫通する導光孔２９７１が形成されており、この導光孔２９７１は厚さ方向ＴＫＤからの平面視において円形状を有しており、その内壁には黒色メッキが施されている。この導光孔２９７１は、発光素子グループＥＧ毎に１個づつ形成されており、すなわち、１個の発光素子グループＥＧに対して１個の導光孔２９７１が開口している。こうして、遮光部材２９７は、導光孔２９７１を発光素子グループＥＧに開口させた状態でヘッド基板表面２９３−hに当接して固定されている。
【００４１】
このような遮光部材２９７を設ける目的は、いわゆる迷光がレンズＬＳ1、ＬＳ2に入射するのを抑制するためである。つまり、各発光素子グループＥＧには、レンズ対ＬＳ1、ＬＳ2の対からなる結像光学系がそれぞれ専用に設けられている。このような構成では、光ビームは、それ自身の射出源である発光素子グループＥＧに設けられた結像光学系ＬＳ1、ＬＳ2にのみ入射して結像されることが望ましい。しかしながら、光ビームの一部には、その射出源である発光素子グループＥＧに設けられた結像光学系ＬＳ1、ＬＳ2に向わずに迷光となってしまうものもある。そして、このような迷光が、それ自身の射出源でない発光素子グループＥＧに設けられた結像光学系ＬＳ1、ＬＳ2に入射してしまうと、いわゆるゴーストが発生してしまうおそれがある。これに対して、この実施形態では、発光素子グループＥＧと結像光学系ＬＳ1、ＬＳ2との間に遮光部材２９７が設けられている。この遮光部材２９７には、内壁に黒色メッキが施された導光孔２９７１が発光素子グループＥＧに開口して設けられている。したがって、迷光の多くは、導光孔２９７１の内壁で吸収されることとなる。その結果、先ほどのゴーストを抑制して、良好な露光動作の実現が図られる。
【００４２】
また、遮光部材２９７の厚さ方向ＴＫＤの一方側では、第１レンズアレイＬＡ1が該遮光部材２９７と間隔を空けて支持されている。この第１レンズアレイＬＡ1は、ヘッド基板２９３の表面２９３−hに設けられた金属製の第１スペーサーＳＰ1により支持されている。この第１レンズアレイＬＡ1は、長手方向ＬＧＤの両端が斜めに（方向Ｄlscと平行に）カットされた菱形形状のガラス基板ＳＢの裏面に、光硬化性樹脂で形成された複数の第１レンズＬＳ1をアレイ配置した構成を有している。また、これら複数の第１レンズＬＳ1は、対向する発光素子グループＥＧの配置に対応して２行千鳥で配置されている（図４）。なお、ヘッド基板２９３と第１スペーサーＳＰ1、第１スペーサーＳＰ1と第１レンズアレイＬＡ1は、それぞれ接着剤等による方法で固定されている。
【００４３】
さらに、この第１レンズアレイＬＡ1の厚さ方向ＴＫＤの一方側では、第２レンズアレイＬＡ2が該第１レンズアレイＬＡ1と間隔を空けて支持されている。この第２レンズアレイＬＡ1は、第１レンズアレイＬＡ1のガラス基板ＳＢの表面に設けられた金属製の第２スペーサーＳＰ2により支持されている。この第２レンズアレイＬＡ2は、長手方向ＬＧＤの両端が斜めに（方向Ｄlscと平行に）カットされた菱形形状のガラス基板ＳＢの裏面ＳＢ−tに、光硬化性樹脂で形成された複数の第２レンズＬＳ2をアレイ配置した構成を有している。また、これら複数の第２レンズＬＳ2は、対向する第１レンズＬＳ1の配置に対応して２行千鳥で配置されている（図４）。なお、第１レンズアレイＬＡ1と第２スペーサーＳＰ2、第２スペーサーＳＰ2と第２レンズアレイＬＡ2は、それぞれ接着剤等による方法で固定されている。
【００４４】
こうして、第１レンズアレイＬＡ1のレンズＬＳ1と第２レンズアレイＬＡ2のレンズＬＳ2が厚さ方向ＴＫＤに並んで、１つの結像光学系を構成する。この結像光学系は、反転した縮小像を形成するものであり、その倍率は負であるとともに１未満の絶対値を有している。そして、感光体ドラム２１表面の副走査方向ＳＤへの移動に応じて各発光素子Ｅの発光を制御することで、主走査方向ＭＤに延びるライン潜像を形成することができる。
【００４５】
図６は、結像光学系ＩＬによる発光素子Ｅの結像位置を示す図で、（ａ）は、結像光学系ＩＬと発光素子Ｅとがずれていないときの結像位置を示す図、（ｂ）は結像光学系ＩＬと発光素子Ｅとがずれて配設されたときの結像位置を示す図である。また、図７は、発光素子グループＥＧとレンズＬＳ1、ＬＳ2とが長手方向ＬＧＤに対して斜めにずれた状態を示す図である。また、図８は、発光素子グループとレンズとがずれて配設されたときのスポット形成位置を示す図で、（ａ）は、本実施形態のラインヘッド２９において図７に示すようにずれて配設されたときのスポット形成位置を示す図、（ｂ）は異なる結像光学系により導かれる各スポットのみが重なる従来のラインヘッド（例えば特許文献１に記載のラインヘッド）において、発光素子グループとレンズとがずれて配設されたときのスポット形成位置を示す図である。ここで、「発明が解決しようとする課題」の項で言及した、発光素子グループとレンズとがずれて配設されたときにスポット形成位置が主走査方向にずれることについて、図６〜図８を参照して説明する。なお、図８では、各発光素子Ｅが同時に点灯したときに感光体ドラム２１の表面に形成される各スポットを示している。
【００４６】
図６（ａ）に示すように、結像光学系ＩＬと発光素子Ｅとがずれていないときに、発光素子Ｅと結像光学系ＩＬの光軸ＯＡとの距離がｄ０であったとする。このとき、簡単のために結像光学系ＩＬが反転等倍系であるとすると、発光素子Ｅの像ＩＭは、被露光面ＥＸにおいて、光軸ＯＡの反対側に距離ｄ０の位置に結像される。ところが、図６（ｂ）に示すように、結像光学系ＩＬが発光素子Ｅに対して長手方向ＬＧＤにずれて配設され、発光素子Ｅと結像光学系ＩＬの光軸ＯＡとの距離が（ｄ０＋Δｄ）になると、発光素子Ｅの像ＩＭは、被露光面ＥＸにおいて、光軸ＯＡの反対側に距離（ｄ０＋Δｄ）の位置に結像される。したがって、像ＩＭの図６（ｂ）の場合の結像位置は、図６（ａ）の場合に比べて２Δｄだけ主走査方向ＭＤにずれることとなる。
【００４７】
ここで、図７に示すように、発光素子グループＥＧの幾何重心ＧＧとレンズＬＳ1、ＬＳ2の光軸ＯＡとが長手方向ＬＧＤに対して斜めにずれて配設されると、１５対の発光素子対ＥＰは、長手方向ＬＧＤの位置が互いに同一であるものの、光軸ＯＡとの距離が互いに異なってしまう。したがって、図８（ａ）に示すように、発光素子行ＧＲa1の発光素子Ｅにより形成されるスポットＳＰ_a1と、発光素子行ＧＲa2の発光素子Ｅにより形成されるスポットＳＰ_a2とは、主走査方向ＭＤにずれた位置に形成されることとなる。ここで、本実施形態のラインヘッド２９では、図８（ａ）に示すように、全てのスポットが重なるように形成しているため、全てのスポットが主走査方向に互いにずれて形成される。したがって、いずれも、露光が多少ぼやけたものとなるが、露光ムラとしては抑制されることとなる。
【００４８】
これに対して、従来のラインヘッドにおいて、発光素子グループとレンズとが長手方向ＬＧＤに対して斜めにずれて配設されると、各発光素子と光軸との距離が異なってしまうため、図８（ｂ）に示すように、部分的に重複させている一方のスポットＳＰ_11と他方のスポットＳＰ_12とは、主走査方向ＭＤにずれて形成されることとなる。一方、スポットＳＰ_13とスポットＳＰ_14とは、他のスポットと重ならないので、主走査方向ＭＤのずれが現われない。したがって、スポットＳＰ_11とスポットＳＰ_12とが重なる部分のみ、露光（潜像）が多少ぼやけたものとなるが、他の部分、すなわちスポットＳＰ_13とスポットＳＰ_14の部分は、露光（潜像）がぼやけたものとはならないので、これらの部分間で、露光ムラが生じることとなる。
【００４９】
図９は、発光素子グループとレンズとがずれることなく配設された状態を示す図、図１０は、図９のように配設されたときのラインヘッドによる露光動作を示す図、図１１は、発光素子グループとレンズとが長手方向にずれて配設された状態を示す図、図１２は、図１１のように配設されたときのラインヘッドによる露光動作を示す図である。図１１では、発光素子グループＥＧとレンズＬＳ1、ＬＳ2とは、幅方向ＬＴＤにずれることなく長手方向ＬＧＤにのみ距離ｄ１だけずれて配設されている。以下に、図２、図４、図９〜図１２を用いてラインヘッドによる露光動作を説明する。また、発明の理解を容易にするため、ここでは主走査方向ＭＤに延びるライン状の潜像を形成する場合について説明する。
【００５０】
本実施形態では、感光体ドラム２１（像担持体）の表面（被露光面）を副走査方向ＳＤに搬送しながら、ヘッドコントローラーＨＣにより複数の発光素子Ｅを所定のタイミングで発光させることで、主走査方向ＭＤに延びるライン状の潜像を形成する。また、上述したように、本実施形態のラインヘッド２９では、全てのスポットを重なるように形成しているため、ヘッドコントローラーＨＣは、全ての発光素子Ｅの発光光量を、ほぼ同じ値に制御する。また、ヘッドコントローラーＨＣは、発光素子グループＥＧとレンズＬＳ1、ＬＳ2との配設状態に応じて、発光させる発光素子Ｅを選択する。つまり、例えばラインヘッド２９の出荷時に、発光素子グループＥＧとレンズＬＳ1、ＬＳ2との配設状態の検査結果、例えば発光素子グループＥＧとレンズＬＳ1、ＬＳ2とのずれ量をヘッドコントローラーＨＣのメモリＨＣＭ（図２）に書き込んでおき、ヘッドコントローラーＨＣは、このメモリＨＣＭの情報に基づき選択制御を行う。
【００５１】
すなわち、図９のように発光素子グループとレンズとがずれることなく配設されている場合には、図９のハッチングを施した発光素子Ｅを使用しない。つまり、各発光素子グループＥＧにおいて、図９中、左端の４個の発光素子Ｅは発光させない。一方、図１１のように発光素子グループＥＧとレンズＬＳ1、ＬＳ2とが幅方向ＬＴＤにずれることなく長手方向ＬＧＤにのみずれて配設されている場合には、図１１のハッチングを施した発光素子Ｅを使用しない。つまり、各発光素子グループＥＧにおいて、発光素子行ＧＲa1の図１１中、左右両端の各２個の発光素子Ｅは発光させず、発光素子行ＧＲb2の図１１中、左右両端の各２個の発光素子Ｅは発光させない。このように選択制御を行う理由については後述する。
【００５２】
本実施形態のラインヘッドでは、副走査方向ＳＤに対応する幅方向ＬＴＤに４個の発光素子行ＧＲa1、ＧＲa2、ＧＲb1、ＧＲb2が並べて配置されている（図４）。そこで、本実施形態では、同一の幅方向位置にある発光素子行は、略同一のタイミングで発光させるとともに、異なる幅方向位置にある発光素子行は、互いに異なるタイミングで発光させる。より具体的には、発光素子行ＧＲa2、ＧＲa1、ＧＲb2、ＧＲb1の順番で、発光素子Ｅを発光させる。そして、感光体ドラム２１の表面を副走査方向ＳＤに搬送しながら、上述の順番で発光素子Ｅを発光させることで、該表面の主走査方向ＭＤに延びるライン状の潜像を形成する。ここで、感光体ドラム２１の表面の搬送方向が副走査方向ＳＤであるのに対して、幅方向ＬＴＤの下流側の発光素子行から順番に（つまり、発光素子行ＧＲa2、ＧＲa1の順番、発光素子行ＧＲb2、ＧＲb1の順番に）発光させるのは、結像光学系が反転特性を有することに対応するためである。
【００５３】
最初に、発光素子グループＥＧとレンズＬＳ1、ＬＳ2とがずれることなく配設された場合の露光動作（第１のモード）について、図９、図１０を用いて説明する。まず最初に、幅方向ＬＴＤに上流側の発光素子グループＥＧa1，ＥＧa2，…に属する発光素子行のうち下流側の発光素子行ＧＲa2の左端の２個を除く１３個の発光素子Ｅを発光させる。そして、かかる発光動作により射出される複数の光ビームは、上述の反転縮小特性を有する結像光学系により反転されつつ縮小されて、感光体ドラム表面に導かれる。つまり、図１０の「１回目」のハッチングパターンの位置にスポットＳＰ_3、ＳＰ_4が形成される。なお、同図において、白抜きの丸印は、未だ形成されておらず今後形成される予定のスポットを表す。また、同図において、符号ＥＧa1，ＥＧb1，ＥＧa2でラベルされたスポットは、それぞれに付された符号に対応する発光素子グループＥＧにより形成されるスポットであることを示す。すなわち、１回目では、発光素子グループＥＧa1の発光素子行ＧＲa2の発光素子Ｅからの光により、１１個のスポットＳＰ_3および２個のスポットＳＰ_4が形成され、発光素子グループＥＧa2の発光素子行ＧＲa2の発光素子Ｅからの光により、１１個のスポットＳＰ_3および２個のスポットＳＰ_4が形成される。
【００５４】
次に、同発光素子グループＥＧa1，ＥＧa2，…に属する発光素子行のうち上流側の発光素子行ＧＲa1の左端の２個を除く１３個の発光素子Ｅを発光させる。そして、かかる発光動作により射出される複数の光ビームは、上述の反転縮小特性を有する結像光学系により反転されつつ縮小されて、感光体ドラム表面に導かれる。これによって、図１０の「２回目」のハッチングパターンの位置にスポットＳＰ_1、ＳＰ_2が形成される。つまり「１回目」のスポットに重なるように「２回目」のスポットが形成される。すなわち、発光素子グループＥＧa1の発光素子行ＧＲa1の発光素子ＥからのスポットＳＰ_1、ＳＰ_2が、１回目に形成されたスポットＳＰ_3、ＳＰ_4にそれぞれ重なるように形成される。また、発光素子グループＥＧa2の発光素子行ＧＲa1の発光素子ＥからのスポットＳＰ_1、ＳＰ_2が、１回目に形成されたスポットＳＰ_3、ＳＰ_4にそれぞれ重なるように形成される。
【００５５】
次に、幅方向ＬＴＤに下流側の発光素子グループＥＧb1，…に属する発光素子行のうち下流側の発光素子行ＧＲb2の左端の２個を除く１３個の発光素子Ｅを発光させる。そして、かかる発光動作により射出される複数の光ビームは、上述の反転縮小特性を有する結像光学系により反転されつつ縮小されて、感光体ドラム表面に導かれる。これによって、図１０の「３回目」のハッチングパターンの位置にスポットＳＰ_7、ＳＰ_8が形成される。すなわち、発光素子グループＥＧb1，…の発光素子行ＧＲb2の発光素子Ｅからの光により、１１個のスポットＳＰ_7および２個のスポットＳＰ_8が形成される。
【００５６】
そして最後に、幅方向ＬＴＤに下流側の発光素子グループＥＧb1，…に属する発光素子行のうち上流側の発光素子行ＧＲb1の左端の２個を除く１３個の発光素子Ｅを発光させる。そして、かかる発光動作により射出される複数の光ビームは、上述の反転縮小特性を有する結像光学系により反転されつつ縮小されて、感光体ドラム表面に導かれる。これによって、図１０の「４回目」のハッチングパターンの位置にスポットＳＰ_5、ＳＰ_6が形成される。つまり、「３回目」のスポットに重なるように、「４回目」のスポットが形成される。すなわち、発光素子グループＥＧb1の発光素子行ＧＲb1の左端の２個を除く１３個の発光素子Ｅからの光により、３回目に形成されたスポットＳＰ_7、ＳＰ_8にそれぞれ重なるように、スポットＳＰ_5、ＳＰ_6が形成される。
【００５７】
すなわち、図１０の部分潜像ＥＸ1は、発光素子グループＥＧa1の発光素子行ＧＲa1の１３個の発光素子Ｅからの光と、同発光素子グループＥＧa1の発光素子行ＧＲa2の１３個の発光素子Ｅからの光とにより、多重露光されている。また、部分潜像ＥＸ2は、発光素子グループＥＧb1の発光素子行ＧＲb1の１３個の発光素子Ｅからの光と、同発光素子グループＥＧb1の発光素子行ＧＲb2の１３個の発光素子Ｅからの光とにより、多重露光されている。また、部分潜像ＥＸ3は、発光素子グループＥＧa2の発光素子行ＧＲa2の１３個の発光素子Ｅからの光と、同発光素子グループＥＧa2の発光素子行ＧＲa1の１３個の発光素子Ｅからの光とにより、多重露光されている。このように、１〜４回目までの発光動作を実行することで、主走査方向ＭＤに延びるライン状の潜像が形成される。そして、このライン状の潜像は、長手方向ＬＧＤの位置が互いに同一の２個の発光素子Ｅからの光による各スポットが重なるようにして、形成されている。つまり、図９のように発光素子グループとレンズとがずれることなく配設されているときは、同じレンズＬＳ1、ＬＳ2により導かれる発光素子Ｅからの光で多重露光して、部分潜像ＥＸ1、ＥＸ2、ＥＸ3を形成している（第１のモード）。
【００５８】
次に、発光素子グループＥＧとレンズＬＳ1、ＬＳ2とがずれて配設された場合の露光動作（第２のモード）について、図１１、図１２を用いて説明する。最初に、幅方向ＬＴＤに上流側の発光素子グループＥＧa1，ＥＧa2，…に属する発光素子行のうち下流側の発光素子行ＧＲa2の１５個の発光素子Ｅを発光させる。そして、かかる発光動作により射出される複数の光ビームは、上述の反転縮小特性を有する結像光学系により反転されつつ縮小されて、感光体ドラム表面に導かれる。つまり、図１２の「１回目」のハッチングパターンの位置にスポットＳＰ_3、ＳＰ_4が形成される。なお、上記と同様に、同図において、白抜きの丸印は、未だ形成されておらず今後形成される予定のスポットを表し、符号ＥＧa1，ＥＧb1，ＥＧa2でラベルされたスポットは、それぞれに付された符号に対応する発光素子グループＥＧにより形成されるスポットであることを示す。すなわち、１回目では、発光素子グループＥＧa1，ＥＧa2の発光素子行ＧＲa2の１５個の発光素子Ｅのうち中央の１１個の発光素子Ｅからの光により、それぞれ１１個のスポットＳＰ_3が形成され、左右両端の各２個の発光素子Ｅからの光により、それぞれスポットＳＰ_3の左右両側に各２個のスポットＳＰ_4が形成される。
【００５９】
次に、同発光素子グループＥＧa1，ＥＧa2，…に属する発光素子行のうち上流側の発光素子行ＧＲa1の左右両端の各２個を除く１１個の発光素子Ｅを発光させる。そして、かかる発光動作により射出される複数の光ビームは、上述の反転縮小特性を有する結像光学系により反転されつつ縮小されて、感光体ドラム表面に導かれる。これによって、図１２の「２回目」のハッチングパターンの位置にスポットＳＰ_1が形成される。つまり「１回目」のスポットに重なるように「２回目」のスポットが形成される。すなわち、発光素子グループＥＧa1の発光素子行ＧＲa1の中央の１１個の発光素子ＥからのスポットＳＰ_1と、発光素子グループＥＧa2の発光素子行ＧＲa1の中央の１１個の発光素子ＥからのスポットＳＰ_1とが、それぞれ、１回目に形成された１５個のスポットのうち中央の１１個のスポットＳＰ_3に重なるように形成される。
【００６０】
次に、幅方向ＬＴＤに下流側の発光素子グループＥＧb1，…に属する発光素子行のうち下流側の発光素子行ＧＲb2の左右両端の各２個を除く１１個の発光素子Ｅを発光させる。そして、かかる発光動作により射出される複数の光ビームは、上述の反転縮小特性を有する結像光学系により反転されつつ縮小されて、感光体ドラム表面に導かれる。これによって、図１２の「３回目」のハッチングパターンの位置にスポットＳＰ_7が形成される。すなわち、発光素子グループＥＧb1，…の発光素子行ＧＲb2の中央の１１個の発光素子Ｅからの光により、１１個のスポットＳＰ_7が形成される。
【００６１】
そして最後に、幅方向ＬＴＤに下流側の発光素子グループＥＧb1，…に属する発光素子行のうち上流側の発光素子行ＧＲb1の１５個の発光素子Ｅを発光させる。そして、かかる発光動作により射出される複数の光ビームは、上述の反転縮小特性を有する結像光学系により反転されつつ縮小されて、感光体ドラム表面に導かれる。これによって、図１２の「４回目」のハッチングパターンの位置にスポットＳＰ_5、ＳＰ_6が形成される。つまり、「１回目」および「３回目」のスポットに重なるように、「４回目」のスポットが形成される。すなわち、発光素子グループＥＧb1の発光素子行ＧＲb1の１５個の発光素子Ｅのうち、長手方向ＬＧＤの左右両端の各２個の発光素子Ｅからの光により、それぞれ１回目に形成されたスポットＳＰ_4に重なるように、各２個のスポットＳＰ_6が形成される。また、発光素子グループＥＧb1の発光素子行ＧＲb1の１５個の発光素子Ｅのうち、長手方向ＬＧＤの中央の１１個の発光素子Ｅからの光により、それぞれ３回目に形成されたスポットＳＰ_7に重なるように、１１個のスポットＳＰ_5が形成される。
【００６２】
すなわち、図１２の部分潜像ＥＸ11は、発光素子グループＥＧa1の発光素子行ＧＲa1の１１個の発光素子Ｅからの光と、同じ発光素子グループＥＧa1の発光素子行ＧＲa2の１１個の発光素子Ｅからの光とにより、多重露光されている。また、部分潜像ＥＸ12は、発光素子グループＥＧa1の発光素子行ＧＲa2の２個の発光素子Ｅからの光と、異なる発光素子グループＥＧb1の発光素子行ＧＲb1の２個の発光素子Ｅからの光とにより、多重露光されている。また、部分潜像ＥＸ13は、発光素子グループＥＧb1の発光素子行ＧＲb1の１１個の発光素子Ｅからの光と、同じ発光素子グループＥＧb1の発光素子行ＧＲb2の１１個の発光素子Ｅからの光とにより、多重露光されている。また、部分潜像ＥＸ14は、発光素子グループＥＧb1の発光素子行ＧＲb1の２個の発光素子Ｅからの光と、異なる発光素子グループＥＧa2の発光素子行ＧＲa2の２個の発光素子Ｅからの光とにより、多重露光されている。また、部分潜像ＥＸ15は、発光素子グループＥＧa2の発光素子行ＧＲa2の１１個の発光素子Ｅからの光と、同じ発光素子グループＥＧa2の発光素子行ＧＲa1の１１個の発光素子Ｅからの光とにより、多重露光されている。このように、１〜４回目までの発光動作を実行することで、主走査方向ＭＤに延びるライン状の潜像が形成される。そして、このライン状の潜像は、２個の発光素子Ｅからの光による各スポットが重なるようにして、形成されている。つまり、図１１のように発光素子グループＥＧとレンズＬＳ1、ＬＳ2とが幅方向ＬＴＤにずれることなく長手方向ＬＧＤにのみずれて配設されているときは、同じレンズＬＳ1、ＬＳ2により導かれる各発光素子Ｅからの光で多重露光して、部分潜像ＥＸ11、ＥＸ13、ＥＸ15を形成するだけではなく、異なるレンズＬＳ1、ＬＳ2により導かれる各発光素子Ｅからの光で多重露光して部分潜像ＥＸ12、ＥＸ14を形成している（第２のモード）。
【００６３】
次に、発光素子グループＥＧとレンズＬＳ1、ＬＳ2との配設状態に応じて露光動作を切り替えている理由について説明する。図１１に示すように、発光素子グループＥＧとレンズＬＳ1、ＬＳ2とが、幅方向ＬＴＤにずれることなく長手方向ＬＧＤにのみずれて配設されている場合には、発光素子対ＥＰを構成する一方の発光素子Ｅと他方の発光素子ＥのレンズＬＳ1、ＬＳ2の光軸との距離は等しくなっている。しかし、例えば発光素子群ＥＧa1の図１１中、右端の発光素子ＥはレンズＬＳ1、ＬＳ2の光軸に近づく一方、発光素子群ＥＧb1の図１１中、左端の発光素子ＥはレンズＬＳ1、ＬＳ2の光軸から遠ざかる。したがって、発光素子群ＥＧa1および発光素子群ＥＧb1の図１１中、右端の発光素子Ｅの結像状態は、光軸に近づくので殆ど変化しないため、スポットサイズも変化しない。一方、発光素子群ＥＧa1および発光素子群ＥＧb1の図１１中、左端の発光素子Ｅの結像状態は、光軸から遠ざかるので収差の影響などによって悪化し、これによってスポットサイズが大きくなる。したがって、図１０のような露光動作を行うと、発光素子群ＥＧa1から発光素子群ＥＧb1に移る境界で、露光ムラが目立ってしまう。
【００６４】
そこで、この実施形態では、図１１に示すように、発光素子グループＥＧとレンズＬＳ1、ＬＳ2とが、幅方向ＬＴＤにずれることなく長手方向ＬＧＤにのみずれて配設されている場合には、長手方向ＬＧＤに隣り合う一方の発光素子群ＥＧの長手方向ＬＧＤの一方端の発光素子Ｅと、他方の発光素子群ＥＧの長手方向ＬＧＤの他方端の発光素子Ｅとを発光させることにより、長手方向ＬＧＤに隣り合う発光素子群ＥＧの境界での露光ムラが目立たなくなるようにしている。これに対して、図９に示すように、発光素子グループＥＧとレンズＬＳ1、ＬＳ2とがずれることなく配設されている場合には、上記のような露光ムラは生じないため、図１０に示すように、同じレンズＬＳ1、ＬＳ2で結像される発光素子対ＥＰを構成する発光素子Ｅを発光させることにより、好適な露光を行うようにしている。
【００６５】
以上のように、本実施形態にかかるラインヘッド２９では、感光体ドラム２１に形成される潜像は、２個の発光素子Ｅからの光による各スポットを主走査方向ＭＤに重なるようにして、形成している。すなわち、各発光素子グループＥＧは、長手方向ＬＧＤの位置が互いに同一の２個の発光素子からなる１５対の発光素子対ＥＰを有し、その発光素子対ＥＰの長手方向ＬＧＤの一方側および他方側の各２対の発光素子対ＥＰは、長手方向ＬＧＤに隣り合う発光素子グループＥＧの発光素子Ｅと、長手方向ＬＧＤの位置が互いに同一になっており、異なるレンズＬＳ1、ＬＳ2により導かれる各発光素子Ｅからの光による各スポットだけでなく、同じレンズＬＳ1、ＬＳ2により導かれる各発光素子Ｅからの光による各スポットも、主走査方向ＭＤに重なるようにしている。したがって、発光素子グループＥＧとレンズＬＳ1、ＬＳ2とが互いにずれて配設された場合には、２個の発光素子Ｅからの光によるスポットが、主走査方向ＭＤに互いにずれるため、露光（潜像）が多少ぼやけたものになるという、ずれによる影響が生じる。しかしながら、全ての領域において、同様に、ずれによる影響が生じるため、ずれによる影響の差が低減される。こうして、この実施形態では、ずれによる影響の差による露光ムラを抑制することができ、良好な露光を実現することが可能となっている。ここで、露光ムラが生じた潜像を現像してトナー像を形成したときには濃度ムラが生じるが、人の目にはトナー像の濃度ムラが目立ちやすい。したがって、露光（潜像）が多少ぼやけたものになったとしても、露光ムラを抑制した本実施形態のラインヘッド２９により形成したトナー像は、画像品質の低下を抑制したものとすることができる。
【００６６】
また、本実施形態のラインヘッド２９では、発光素子グループＥＧとレンズＬＳ1、ＬＳ2とがずれることなく配設されている場合には、各発光素子グループＥＧの左端の４個の発光素子Ｅを発光させないようにして、同じレンズＬＳ1、ＬＳ2により導かれる２個の発光素子Ｅからの光による各スポットを、主走査方向ＭＤに重なるようにしている。一方、発光素子グループＥＧとレンズＬＳ1、ＬＳ2とが長手方向ＬＧＤにずれて配設されている場合には、発光素子行ＧＲa1の左右両端の各２個の発光素子Ｅと、発光素子行ＧＲb2の左右両端の各２個の発光素子Ｅを発光させないようにして、長手方向ＬＧＤに隣り合う発光素子グループＥＧの間では、互いに異なるレンズＬＳ1、ＬＳ2により導かれる２個の発光素子Ｅからの光による各スポットを、主走査方向ＭＤに重なるようにしている。また、本実施形態では、発光素子グループＥＧとレンズＬＳ1、ＬＳ2との配設状態、例えば発光素子グループＥＧとレンズＬＳ1、ＬＳ2とのずれ量をメモリＨＣＭに書き込んでおき、ヘッドコントローラーＨＣは、メモリＨＣＭの情報に基づき発光させる発光素子を選択している。このように、発光素子グループＥＧとレンズＬＳ1、ＬＳ2との配設状態に応じて露光動作を切り替えているため、上述したように、発光素子グループＥＧとレンズＬＳ1、ＬＳ2との配設状態に応じて好適な露光を行うことができる。
【００６７】
また、本実施形態のラインヘッド２９では、全ての発光素子Ｅの発光光量をほぼ同じ値に制御しているため、各発光素子Ｅの間で劣化速度はほぼ同じになっている。すなわち、上記特許文献１では、同文献の図１４に示すように、多重露光する２個の発光素子の各光量を、多重露光しない発光素子の光量より小さくすることにより、両者の被露光面に対する露光光量が同程度になるようにしている。一般に、発光素子は、その光量が大きいほど劣化が促進される。このため、多重露光する発光素子よりも光量の大きい多重露光しない発光素子は、多重露光する発光素子に比べて速く劣化する。したがって、特許文献１に記載の露光ヘッドを長時間にわたって使用すると、多重露光する発光素子と多重露光しない発光素子との間で劣化速度が異なるため、劣化度合の差に起因して露光ムラが発生することとなる。これに対して、本実施形態のラインヘッド２９では、全ての発光素子Ｅの発光光量を、ほぼ同じ値に制御しているため、各発光素子Ｅの間で劣化速度がほぼ同じであることから、長時間にわたって使用しても発光素子Ｅの劣化度合の差に起因する露光ムラが発生しないという利点がある。
【００６８】
さらに、本実施形態のラインヘッド２９では、各発光素子グループＥＧa1、ＥＧa2、…において、発光素子行ＧＲa1の１５個の発光素子Ｅと、発光素子行ＧＲa2の１５個の発光素子Ｅとは、対応するレンズＬＳ1、ＬＳ2の光軸に対応する点を通る長手方向ＬＧＤに平行な線に関して線対称になっている。また、各発光素子グループＥＧb1、ＥＧb2、…において、発光素子行ＧＲb1の１５個の発光素子Ｅと、発光素子行ＧＲb2の１５個の発光素子Ｅとは、対応するレンズＬＳ1、ＬＳ2の光軸に対応する点を通る長手方向ＬＧＤに平行な線に関して線対称になっている。このため、各１５個の発光素子Ｅからの光によるスポットを、それぞれ感光体ドラム２１において主走査方向ＭＤに好適に重ねることができる。
【００６９】
また、本実施形態のラインヘッド２９では、各発光素子グループＥＧは、長手方向ＬＧＤに隣り合う発光素子グループＥＧの発光素子Ｅと、長手方向ＬＧＤの位置が互いに同一の発光素子Ｅを、長手方向ＬＧＤの一方端および他方端の両端に４個ずつ有している。つまり、例えば、発光素子グループＥＧa2の発光素子行ＧＲa1、ＧＲa2の図４中、右端の各２個の発光素子Ｅの長手方向ＬＧＤの位置は、発光素子グループＥＧb2の発光素子行ＧＲb1、ＧＲb2の左端の各２個の発光素子Ｅの長手方向ＬＧＤの位置と、それぞれ同一になっている。しかも、各発光素子グループＥＧ内において、各発光素子行は、対応するレンズＬＳ1、ＬＳ2の光軸に対応する点を通る幅方向ＬＴＤに平行な線に関して、線対称になっている。つまり、例えば発光素子行ＧＲa1、ＧＲa2、ＧＲb1、ＧＲb2の１５個の発光素子Ｅの中央の発光素子Ｅが、上記幅方向ＬＴＤに平行な線上に位置している。したがって、発光素子グループＥＧの発光素子Ｅ（例えば発光素子グループＥＧa2の発光素子行ＧＲa2の図４中、左端の２個の発光素子Ｅ）からの光によるスポットと、長手方向ＬＧＤに隣り合う発光素子グループＥＧの発光素子Ｅ（例えば発光素子グループＥＧb2の発光素子行ＧＲb1の図４中、右端の２個の発光素子Ｅ）からの光によるスポットとを、反転光学系を構成するレンズＬＳ1、ＬＳ2によって、感光体ドラム２１の主走査方向ＭＤに好適に重ねることができる。
【００７０】
Ｂ．その他
以上のように、上記実施形態では、副走査方向ＳＤが本発明の「第１の方向」に相当する。また、感光体ドラム２１が本発明の「潜像担持体」に相当し、感光体ドラム２１の表面が本発明の「被露光面」に相当し、ラインヘッド２９が本発明の「露光ヘッド」に相当し、ヘッドコントローラーＨＣが本発明の「選択部」に相当し、メモリＨＣＭが本発明の「記憶部」に相当する。また、発光素子グループＥＧa1、ＥＧa2、…の、発光素子行ＧＲa1の長手方向ＬＧＤの一方端および他方端の各２個の発光素子Ｅが本発明の「第１の発光素子」に相当し、発光素子行ＧＲa2の長手方向ＬＧＤの一方端および他方端の各２個の発光素子Ｅが本発明の「第２の発光素子」に相当する。また、発光素子グループＥＧa1、ＥＧa2、…が本発明の「第１の発光素子および第２の発光素子を含み、第１の結像光学系により結像される複数の発光素子」に相当し、これらの発光素子グループＥＧa1、ＥＧa2、…に対応するレンズＬＳ1、ＬＳ2が本発明の「第１の結像光学系」に相当し、これらの発光素子グループＥＧa1、ＥＧa2、…の幾何重心と対応するレンズＬＳ1、ＬＳ2の光軸とのずれ量が本発明の「ずれ量」に相当する。また、発光素子グループＥＧb1、ＥＧb2、…の、発光素子行ＧＲb1の長手方向ＬＧＤの一方端および他方端の各２個の発光素子Ｅが本発明の「第３の発光素子」に相当し、発光素子行ＧＲb2の長手方向ＬＧＤの一方端および他方端の各２個の発光素子Ｅが本発明の「第４の発光素子」に相当する。また、発光素子グループＥＧb1、ＥＧb2、…が本発明の「第３の発光素子および第４の発光素子を含み、第２の結像光学系により結像される複数の発光素子」に相当し、これらの発光素子グループＥＧb1、ＥＧb2、…に対応するレンズＬＳ1、ＬＳ2が本発明の「第２の結像光学系」に相当し、これらの発光素子グループＥＧb1、ＥＧb2、…の幾何重心と対応するレンズＬＳ1、ＬＳ2の光軸とのずれ量が本発明の「第２のずれ量」に相当する。また、スポットＳＰ_2が本発明の「第１のスポット」に相当し、スポットＳＰ_4が本発明の「第２のスポット」に相当し、スポットＳＰ_6が本発明の「第３のスポット」に相当し、スポットＳＰ_8が本発明の「第４のスポット」に相当する。また、図９、図１０を用いて説明した露光動作が本発明の「第１のモード」に相当し、図１１、図１２を用いて説明した露光動作が本発明の「第２のモード」に相当する。
【００７１】
なお、本発明は上記実施形態に限定されるものではなく、その趣旨を逸脱しない限りにおいて上述したものに対して種々の変更を加えることが可能である。例えば、上記実施形態では、図９、図１０を用いて説明した露光動作では、各発光素子行ＧＲa1、ＧＲa2、ＧＲb1、ＧＲb2において、図９中、右端の１３個の発光素子Ｅを発光させるようにしているが、これに限られない。例えば、図９中、中央の１３個の発光素子Ｅを発光させるようにしてもよく、左端の１３個の発光素子Ｅを発光させるようにしてもよい。要は、同一のレンズＬＳ1、ＬＳ2により結像する同一の発光素子群ＥＧからの各発光素子Ｅの光によるスポットが、感光体ドラム２１の主走査方向ＭＤに重なるようにすればよい。
【００７２】
また、例えば、上記実施形態では、図１１、図１２を用いて説明した露光動作では、発光素子行ＧＲa1の図１１中、左右両端の各２個の発光素子Ｅを発光させずに、発光素子行ＧＲa2の図１１中、左右両端の各２個の発光素子Ｅを発光させており、発光素子行ＧＲb2の図１１中、左右両端の各２個の発光素子Ｅを発光させずに、発光素子行ＧＲb1の図１１中、左右両端の各２個の発光素子Ｅを発光させているが、これに限られない。例えば発光素子行ＧＲa1の図１１中、左右両端の各２個の発光素子Ｅを発光させるとともに、発光素子行ＧＲb1の図１１中、左右両端の各２個の発光素子Ｅを発光させてもよく、発光素子行ＧＲa2の図１１中、左右両端の各２個の発光素子Ｅを発光させるとともに、発光素子行ＧＲb2の図１１中、左右両端の各２個の発光素子Ｅを発光させてもよく、あるいはまた発光素子行ＧＲa1の図１１中、左右両端の各２個の発光素子Ｅを発光させるとともに、発光素子行ＧＲb2の図１１中、左右両端の各２個の発光素子Ｅを発光させてもよい。要は、異なるレンズＬＳ1、ＬＳ2により結像する異なる発光素子群ＥＧからの各発光素子Ｅの光によるスポットが、感光体ドラム２１の主走査方向ＭＤに重なるようにすればよい。
【００７３】
また、例えば、上記実施形態の図１１では、発光素子グループＥＧとレンズＬＳ1、ＬＳ2とが、幅方向ＬＴＤにずれることなく長手方向ＬＧＤにのみずれて配設されているとしているが、これに限られず、例えば図７に示すように、発光素子グループＥＧとレンズＬＳ1、ＬＳ2とが、幅方向ＬＴＤおよび長手方向ＬＧＤの両方にずれて配設されている場合にも、図１１、図１２を用いて説明した露光動作を行うようにしてもよい。ただし、この場合には、上記実施形態のように、発光素子行ＧＲa1の図１１中、左右両端の各２個の発光素子Ｅを発光させずに、発光素子行ＧＲa2の図１１中、左右両端の各２個の発光素子Ｅを発光させ、発光素子行ＧＲb2の図１１中、左右両端の各２個の発光素子Ｅを発光させずに、発光素子行ＧＲb1の図１１中、左右両端の各２個の発光素子Ｅを発光させる方が、次に説明するような点で、より好ましい。
【００７４】
すなわち、上記実施形態のように、発光素子行ＧＲa2の図１１中、左右両端の各２個の発光素子Ｅを発光させるとともに、発光素子行ＧＲb1の図１１中、左右両端の各２個の発光素子Ｅを発光させている場合には、図４から分かるように、発光させる発光素子Ｅ間の幅方向ＬＴＤの距離は、Ｄt−２Ｄrになる。これに対して、上記変形形態のように、他の発光素子行の発光素子Ｅを発光させる場合には、発光させる発光素子Ｅ間の幅方向ＬＴＤの距離は、ＤtまたはＤt＋２Ｄrになる。これらの大小関係は、
Ｄt−２Ｄr＜Ｄt＜Ｄt＋２Ｄr
となっている。
【００７５】
ここで、２個の発光素子Ｅからの光によるスポットを感光体ドラム２１の主走査方向ＭＤに重なるようにしている場合に、発光素子グループＥＧとレンズＬＳ1、ＬＳ2とが、幅方向ＬＴＤおよび長手方向ＬＧＤの両方にずれて配設された場合の、各スポットの主走査方向ＭＤのずれ量は、当該発光素子Ｅ間の幅方向ＬＴＤの距離が短い場合に比べて、長い方が大きくなる。したがって、上記実施形態の場合、すなわち幅方向ＬＴＤの距離がＤt−２Ｄrの場合に、上記ずれ量が小さく、上記変形形態の場合、すなわち幅方向ＬＴＤの距離がＤtまたはＤt＋２Ｄrの場合に、上記ずれ量が大きくなる。よって、発光素子グループＥＧとレンズＬＳ1、ＬＳ2とが、幅方向ＬＴＤおよび長手方向ＬＧＤの両方にずれて配設された場合の、各スポットの主走査方向ＭＤのずれ量の差を小さくするためには、上記実施形態（図１１）のように、発光素子行ＧＲa2の図１１中、左右両端の各２個の発光素子Ｅを発光させるとともに、発光素子行ＧＲb1の図１１中、左右両端の各２個の発光素子Ｅを発光させる方が、より好ましい。
【００７６】
また、例えば上記実施形態では、図９のように発光素子グループＥＧとレンズＬＳ1、ＬＳ2とがずれることなく配設された場合に図１０の露光動作を行うとしているが、これに限られない。例えば、発光素子グループＥＧとレンズＬＳ1、ＬＳ2とのずれ量のいずれかが第１の値をとる場合に、図１０の露光動作を行い、当該ずれ量のいずれかが第１の値より大きい第２の値をとる場合に、図１２の露光動作を行うようにしてもよい。これによって、ずれ量の大小に応じて、好適な露光を行うことができる。
【００７７】
また、上記実施形態では、発光素子行ＧＲa1、ＧＲa2、ＧＲb1、ＧＲb2を長手方向ＬＧＤに一行に配設した発光素子Ｅにより構成しているが、これに限られない。例えば、４行千鳥に配設した発光素子Ｅにより発光素子行ＧＲa1、ＧＲa2、ＧＲb1、ＧＲb2を構成してもよく、発光素子Ｅの配設態様は任意である。
【００７８】
また、上記実施形態では、発光素子グループＥＧを２行千鳥で配設しているが、これに限られない。例えば、３行千鳥に発光素子グループを配設してもよく、発光素子グループの配設態様は任意である。同様に、上記実施形態では、各レンズアレイＬＡ1、ＬＡ2において２行千鳥でレンズが並んでいたが、レンズの配設態様はこれに限られず、発光素子グループＥＧに対応していればよい。
【００７９】
また、上記実施形態では、１５個の発光素子Ｅから発光素子行ＧＲa1、ＧＲa2、ＧＲb1、ＧＲb2を構成している。すなわち、各発光素子グループＥＧは、長手方向ＬＧＤの中央に１１対の発光素子対ＥＰを有するとともに、その１１対の発光素子対ＥＰの長手方向ＬＧＤの一方側に、隣り合う発光素子グループＥＧの発光素子Ｅとスポットが主走査方向ＭＤに重なる２対の発光素子対ＥＰを有し、他方側に、隣り合う発光素子グループＥＧの発光素子Ｅとスポットが主走査方向ＭＤに重なる２対の発光素子対ＥＰを有している。しかしながら、発光素子行を構成する発光素子Ｅの個数、すなわち発光素子グループＥＧを構成する発光素子対ＥＰの個数はこれに限られない。
【００８０】
また、上記実施形態では、発光素子Ｅとしてボトムエミッション型の有機ＥＬ素子が用いられている。しかしながら、トップエミッション型の有機ＥＬ素子を発光素子Ｅとして用いても良く、あるいは有機ＥＬ素子以外のＬＥＤ（Light Emitting Diode）等を発光素子Ｅとして用いても良い。
【００８１】
また、上記実施形態のレンズＬＳ1、ＬＳ2で構成される結像光学系は、反転した縮小像を形成するものであり、その倍率は負であるとともに１未満の絶対値を有していたが、結像光学系の倍率はこれに限られず、正であっても良く、１以上の絶対値を有していても良い。
【００８２】
また、上記実施形態では、レンズアレイＬＡ1、ＬＡ2の裏面にレンズＬＳ1、ＬＳ2が形成されていた。しかしながら、例えば、レンズアレイＬＡ1、ＬＡ2の表面にレンズＬＳ1、ＬＳ2が形成されても良い。
【００８３】
また、上記実施形態では、レンズアレイＬＡ1、ＬＡ2は、ガラス製の光透過性基板ＳＢに樹脂製のレンズＬＳ1、ＬＳ2を形成したものであった。しかしながら、レンズアレイＬＡ1、ＬＡ2を１つの材料で一体的に構成することもできる。
【００８４】
また、レンズアレイＬＡ1、ＬＡ2の形状や大きさについても種々の変更が可能である。
【００８５】
また、光センサーＳＣの配設態様も上記以外に種々の変更が可能であり、また、光センサーＳＣを備えないように構成しても良い。
【符号の説明】
【００８６】
２１…感光体ドラム、  ２９…ラインヘッド、  Ｅ…発光素子、  ＥＧ…発光素子グループ、  ＧＲa1、ＧＲa2、ＧＲb1、ＧＲb2…発光素子行、  ＨＣ…ヘッドコントローラー、  ＬＳ1、ＬＳ2…レンズ、  ＬＧＤ…長手方向、  ＬＴＤ…幅方向、  ＭＤ…主走査方向、  ＳＤ…副走査方向、  ＳＰ_1〜ＳＰ_8…スポット
【図１】
2011037147.tif 000003
【図２】
2011037147.tif 000004
【図３】
2011037147.tif 000005
【図４】
2011037147.tif 000006
【図５】
2011037147.tif 000007
【図６】
2011037147.tif 000008
【図７】
2011037147.tif 000009
【図８】
2011037147.tif 000010
【図９】
2011037147.tif 000011
【図１０】
2011037147.tif 000012
【図１１】
2011037147.tif 000013
【図１２】
2011037147.tif 000014